(57)【要約】【課題】腋下に容易に保持することができ、安定した体温の測定が可能な電子体温計を提供する。【解決手段】温度を検出する温度センサ２２と、温度センサ２２からの検出信号に基づいて体温を算出する算出部３０と、算出部３０により算出された体温を表示する表示部４０と、振動を発生する振動発生部５０と、算出部３０、表示部４０及び振動発生部５０に電力を供給する電池６０と、を有し、体温の測定が完了したことを振動発生部５０が発生する振動によって報知する電子体温計１であって、電子体温計１が幅及び厚みよりも長い長手方向長さを有する形状であり、温度センサ２２が電子体温計１の長手方向の一端側に配置され、振動発生部５０が電子体温計１の長手方向の他端側に配置されるとともに、表示部４０と電池６０とが、温度センサ２２と振動発生部５０との間の長手方向位置において長手方向に垂直な方向に重ねて配置されていることを特徴とする電子体温計１。【選択図】図１
2020159764.tif 000002
【特許請求の範囲】
【請求項１】
温度を検出する温度センサと、前記温度センサからの検出信号に基づいて体温を算出する算出部と、前記算出部により算出された体温を表示する表示部と、振動を発生する振動発生部と、前記算出部、前記表示部及び前記振動発生部に電力を供給する電池と、を有し、体温の測定が完了したことを前記振動発生部が発生する振動によって報知する電子体温計であって、
前記電子体温計が幅及び厚みよりも長い長手方向の長さを有する形状であり、
前記温度センサが前記電子体温計の長手方向の一端側に配置され、
前記振動発生部が前記電子体温計の前記長手方向の他端側に配置されるとともに、
前記表示部と前記電池とが、前記温度センサと前記振動発生部との間の長手方向位置において前記長手方向に垂直な方向に重ねて配置されていることを特徴とする電子体温計。
【請求項２】
前記算出部が制御基板であり、
前記制御基板が、前記温度センサと前記振動発生部との間の長手方向位置において、前記長手方向に平行であるとともに前記振動発生部に対して前記長手方向に垂直な方向に重ならずに配置されている、請求項１に記載の電子体温計。
【請求項３】
前記振動発生部が振動モーターである、請求項１または２に記載の電子体温計。
【発明の詳細な説明】
【技術分野】
【０００１】
本発明は、生体の体温を測定する電子体温計に関する。
【背景技術】
【０００２】
生体の体温を測定する電子体温計は、通常、幅及び厚みよりも長手方向長さが長い細長い形状を有しており、体温測定時に、温度センサが設けられた長手方向の一端部分を被測定者の腋下に挟んで使用される。
【０００３】
従来、このような電子体温計として、温度を検出する温度センサと、温度センサからの検出信号に基づいて体温を算出する算出部と、算出部により算出された体温を表示する表示部と、振動を発生する振動発生部と、算出部、表示部及び振動発生部に電力を供給する電池と、を有し、体温の測定が完了したことを振動発生部が発生する振動によって報知する振動報知タイプのものが知られている（例えば特許文献１、２参照）。
【先行技術文献】
【特許文献】
【０００４】
【特許文献１】特許第４６２７２６１号公報
【特許文献２】特開２０１７−１５６２０６号公報
【発明の概要】
【発明が解決しようとする課題】
【０００５】
振動報知タイプの電子体温計は、振動発生部として、例えば振動モーター等の物理的に振動を発生させるものが用いられるため、その消費電力は大きく、体温の測定が完了したことをブザーによって報知するタイプの電子体温計に比べて、より容量の大きい大型で重い電池が必要となる。また、液晶パネル等で構成される表示部としては、その視認性を確保するために、ある程度の大きさと重さを有するものが用いられる。
【０００６】
そのため、振動報知タイプの電子体温計は重いものとなり、例えば高齢者のように筋力が弱く、皮下脂肪が少ない被測定者では、体温を測定する際に電子体温計を腋下に挟んで保持することが困難となって体温の測定を安定して行うことができない場合が生じる、という問題があった。
【０００７】
本発明は、上記課題を鑑みて成されたものであり、その目的は、腋下に容易に保持することができ、安定した体温の測定が可能な電子体温計を提供することである。
【課題を解決するための手段】
【０００８】
本発明の電子体温計は、温度を検出する温度センサと、前記温度センサからの検出信号に基づいて体温を算出する算出部と、前記算出部により算出された体温を表示する表示部と、振動を発生する振動発生部と、前記算出部、前記表示部及び前記振動発生部に電力を供給する電池と、を有し、体温の測定が完了したことを前記振動発生部が発生する振動によって報知する電子体温計であって、前記電子体温計が幅及び厚みよりも長い長手方向の長さを有する形状であり、前記温度センサが前記電子体温計の長手方向の一端側に配置され、前記振動発生部が前記電子体温計の前記長手方向の他端側に配置されるとともに、前記表示部と前記電池とが、前記温度センサと前記振動発生部との間の長手方向位置において前記長手方向に垂直な方向に重ねて配置されていることを特徴とする。
【０００９】
本発明の電子体温計は、上記構成において、前記算出部が制御基板であり、前記制御基板が、前記温度センサと前記振動発生部との間の長手方向位置において、前記長手方向に平行であるとともに前記振動発生部に対して前記長手方向に垂直な方向に重ならずに配置されているのが好ましい。
【００１０】
本発明の電子体温計は、上記構成において、前記振動発生部が振動モーターであるのが好ましい。
【発明の効果】
【００１１】
本発明によれば、腋下に容易に保持することができ、安定した体温の測定が可能な電子体温計を提供することができる。
【図面の簡単な説明】
【００１２】
【図１】本発明の一実施の形態である電子体温計の平面図である。
【図２】図１におけるＡ−Ａ線に沿う断面図である。
【図３】図２におけるＢ−Ｂ線に沿う断面図である。
【図４】図１におけるＣ−Ｃ線に沿う断面図である。
【発明を実施するための形態】
【００１３】
以下、図面を参照して、本発明をより具体的に例示説明する。
【００１４】
図１〜図４に示す本発明の一実施の形態である電子体温計１は、生体の体温を測定するものである。電子体温計１は、幅Ｗ及び厚みＤよりも長手方向（図１中において左右方向）の長さＬが長い細長い形状を有しており、その長手方向の一端部分を被測定者の腋下に挟んで使用される。
【００１５】
電子体温計１は、合成樹脂製のケース体１０を有している。ケース体１０は本体部１１と本体部１１に一体に連なる挟持部１２とを備えている。
【００１６】
本体部１１は、表側ケース半体１１ａと裏側ケース半体１１ｂとを組み合わせた構成となっており、その内部は収納空間Ｓとなっている。本体部１１の幅Ｗは厚みＤよりも大きい略矩形で薄い箱型となっている。
【００１７】
挟持部１２は、体温測定時に被測定者の腋下に挟まれる部分であり、本体部１１から長手方向の一方側（図１中において左側）に向けて徐々に幅及び厚みを狭めながら延びる先細形状となっている。挟持部１２の長さは、例えば５０ｍｍである。挟持部１２は本体部１１の表側ケース半体１１ａに一体に連ねて設けられている。
【００１８】
挟持部１２の長手方向の先端部分には測温部２０が設けられている。測温部２０は、挟持部１２の先端に取り付けられたセンサキャップ２１と、センサキャップ２１の内部に配置された温度センサ２２とを備えている。センサキャップ２１は温度センサ２２を覆って保護するためのものである。温度センサ２２は温度を検出するものである。温度センサ２２としては、例えばサーミスタ等の感温素子を用いることができる。
【００１９】
本体部１１の収納空間Ｓには、制御基板３０、表示部４０、振動発生部としての振動モーター５０及び電池６０が収容されている。
【００２０】
制御基板３０は、例えば、基板３１上にＣＰＵ、メモリ、コンデンサ等の電子部品３２が実装されてマイクロコンピュータに構成されたものが用いられる。制御基板３０は、表側ケース半体１１ａと裏側ケース半体１１ｂとの略中間部分に、電子体温計１の長手方向に平行に配置されている。制御基板３０には配線２３を介して温度センサ２２が接続されており、温度センサ２２の検出信号は制御基板３０に入力される。制御基板３０は、算出部としての機能ブロックを有しており、当該算出部により、温度センサ２２から入力された検出信号に基づいて被測定者の体温を算出することができる。
【００２１】
電子体温計１は、制御基板３０による体温の算出を予測機能によって行う予測式のものとすることができる。この場合、制御基板３０は、温度センサ２２により検出される温度が被測定者の体温に達するよりも早い時点で、温度センサ２２から入力される検出信号の径時的な変化に基づいて被測定者の体温を予測値として算出する。
【００２２】
また、電子体温計１は、制御基板３０による体温の算出を実測機能によって行う実測式のものとすることもできる。この場合、制御基板３０は、例えば、測定開始から所定時間を経過したとき、あるいは温度センサ２２から入力される検出信号の径時的な変化が所定量以下となったときに、温度センサ２２によって検出される温度が被測定者の体温と同一の温度に達しているものと判断し、当該判断時において温度センサ２２から入力される検出信号に基づいて体温を算出する。
【００２３】
なお、電子体温計１は、制御基板３０が、予測機能と実測機能の両方の機能に基づき体温を算出可能な構成とすることもできる。この場合、電子体温計１は、制御基板３０が、予測機能により体温を測定した後に自動的に実測式に切り替えられて実測機能による体温測定を行う構成としてもよく、あるいは、予測機能と実測機能とを操作者の操作によって任意に切替え可能な構成としてもよい。
【００２４】
表示部４０は液晶パネル（ＬＣＤ）で構成されている。表示部４０は、その厚みが薄い方向を制御基板３０の厚みの薄い方向に一致させるように、制御基板３０と平行に当該制御基板３０に重ねて配置されている。なお、表示部４０と制御基板３０との間には支持体４１が配置され、これにより制御基板３０と表示部４０との間には所定の隙間が設けられている。表示部４０は制御基板３０に接続されており、制御基板３０により算出された体温を表示することができる。また、表示部４０は、体温に加えて、制御基板３０からの入力により、電池６０の残量、予測式ないし実測式の切替え状況等の各種情報を表示することもできる。
【００２５】
本体部１１の表側ケース半体１１ａには窓部１１ｃが設けられており、表示部４０は窓部１１ｃの内側に配置されている。表側ケース半体１１ａには、窓部１１ｃを覆って保護する透明な透明板１３が装着されている。表示部４０の表示された体温等の各種情報は、窓部１１ｃ及び透明板１３を通して外部から視認可能となっている。
【００２６】
振動モーター５０は、モーター本体５１とモーター本体５１の回転軸５１ａに固定された偏心重り５２とを備えている。表側ケース半体１１ａの内面にはモータホルダ５３が固定されており、振動モーター５０はモーター本体５１がモータホルダ５３により保持されて、回転軸５１ａが幅Ｗの方向に沿う姿勢（回転軸５１ａが長手方向に直交する姿勢）となって本体部１１の収納空間Ｓの長手方向の他端側（測温部２０が設けられる一端側とは反対側）に収容されている。
【００２７】
モーター本体５１は電動モーターで構成されている。振動モーター５０は、モーター本体５１が作動し、回転軸５１ａとともに偏心重り５２が回転することで、例えば１０〜１００Ｈｚの振動数の振動を発生することができる。モーター本体５１は制御基板３０に接続されており、制御基板３０により、その作動が制御される。より具体的には、制御基板３０は、体温の測定が完了したときにモーター本体５１を作動させ、振動を発生させる。振動モーター５０が発生した振動は、ケース体１０を介して被測定者に伝達される。このように、電子体温計１は、体温の測定が完了したことを振動モーター５０が発生する振動によって報知する振動報知タイプとなっている。
【００２８】
振動モーター５０は、制御基板３０に対して長手方向の他端側（測温部２０とは反対側）にずれて配置されている。これにより、制御基板３０は、測温部２０（温度センサ２２）と振動モーター５０との間の長手方向位置において、振動モーター５０に対して長手方向に垂直な方向に重ならずに配置されている。このような構成により、振動モーター５０が作動したときに、振動モーター５０が発生する振動が制御基板３０に伝達されることを抑制することができる。よって、振動モーター５０が発生する振動によって、制御基板３０の電子部品３２等が破損等することを防止して、電子体温計１の作動信頼性や耐久性を高めることができる。
【００２９】
電子体温計１は、体温の測定が完了したことを報知する手段として、振動発生部としての振動モーター５０に加えて報知音発生部を備えた構成とすることもできる。本実施の形態では、制御基板３０に報知音発生部としての圧電式のブザー５４を設けた場合を示す。ブザー５４は、体温の測定が完了したときに作動してブザー音を発する。このように、体温の測定が完了したときに、振動モーター５０による振動に加えてブザー５４がブザー音を発する構成としたので、体温の測定が完了したことを、被測定者により確実に報知することができる。なお、電子体温計１は、ブザー５４の作動のオン、オフを切替え可能な構成とすることもできる。
【００３０】
ブザー５４は、互いに音程の異なる２種類のブザー音を交互に発する構成のものとすることができる。これにより、ブザー５４が発するブザー音を、より被測定者に聞き取り易いものとして、体温の測定が完了したことをブザー音によって被測定者により確実に報知することができる。
【００３１】
収納空間Ｓには、略円筒状に形成された電池収納部１４が設けられており、電池６０は電池収納部１４に収納されている。電池６０は薄い円板状のボタン型電池（コイン型電池）である。電池６０は、その円形の表面ないし裏面が制御基板３０及び表示部４０と平行となる姿勢で、制御基板３０を挟んで表示部４０に対して長手方向に垂直な方向に重ねて配置されている。
【００３２】
制御基板３０の表面には、電池６０の表面に設けられた正極６１に接触するバネ型の正極端子３３と、電池６０の円筒状の外周面に設けられた負極６２に接触するバネ型の負極端子３４とが設けられ、正極端子３３と負極端子３４とを通して制御基板３０に電池６０の電力が供給される。制御基板３０に供給された電池６０の電力は、制御基板３０を介して表示部４０及び振動モーター５０にも供給される。
【００３３】
裏側ケース半体１１ｂには電池収納部１４を開閉する蓋体１５が設けられている。蓋体１５を裏側ケース半体１１ｂから取り外すことで、電池６０を電池収納部１４から取り出し、別の電池６０に交換が可能である。
【００３４】
ケース体１０には押しボタン式の操作スイッチ７０が設けられている。操作スイッチ７０は、表示部４０と振動モーター５０との間の長手方向位置において制御基板３０に重ねて配置され、表側ケース半体１１ａ及び透明板１３を貫通して外部に露出している。制御基板３０と操作スイッチ７０との間には操作スイッチ７０を外側に向けて付勢する導電ゴム３５が設けられている。操作スイッチ７０がケース体１０の内側に向けて押し込まれると、導電ゴム３５が弾性変形して制御基板３０に設けられた電子部品３２に当接し、電子部品３２に上記操作を入力することができる。操作スイッチ７０を押し込み操作することで、例えば、体温測定の開始、作動モードの切替え、電源のオン、オフ等の各種の操作を行うことができる。
【００３５】
上記の構成の電子体温計１を用いた体温の測定は、以下の手順で行うことができる。
【００３６】
まず、操作スイッチ７０を操作して電子体温計１に体温測定を開始させる。次に、電子体温計１の挟持部１２を腋下に挟んで保持する。このとき、挟持部１２の先端に設けられた測温部２０が被測定者の腋下に位置するようにする。測温部２０が被測定者の腋下に挟持されると、被測定者の体温がセンサキャップ２１を介して温度センサ２２に伝達され、その温度が温度センサ２２により検出される。温度センサ２２による温度の検出は、例えば、所定時間毎に繰り返し行われる。温度センサ２２により検出された温度が検出信号として制御基板３０に入力されると、当該温度が表示部４０に表示される。また、制御基板３０は温度センサ２２からの検出信号に基づいて被測定者の体温を算出する。体温の測定が完了すると、振動モーター５０が作動し、振動モーター５０が発生する振動によって体温の測定が完了したことが報知される。また、振動モーター５０の作動とともにブザー５４が作動し、ブザー５４が発生するブザー音によっても体温の測定が完了したことが報知される。被測定者は、振動ないしブザー音によって体温の測定が完了したことを認識することができる。体温の測定が完了すると、表示部４０には制御回路３０により算出された体温、すなわち電子体温計１で測定された体温が表示される。被測定者は表示部４０を視認することで測定された体温を知ることができる。
【００３７】
このように、本実施の形態の電子体温計１では、体温の測定が完了したときに振動モーター５０を作動させて振動を発生させるようにしたので、例えば高齢者等の、高周波のブザー音が聞き取り難い被測定者にも、体温の測定が完了したことを、より確実に報知することができる。
【００３８】
一方、体温の測定が完了したことを振動によって報知するようにした電子体温計１は、振動モーター５０を作動させるための電力が必要となるため、体温の測定が完了したことをブザー音のみによって報知するようにしたものに比べて、より容量の大きい大型で重い電池６０が必要となる。一般に、電子体温計の重量が重くなると、高齢者のように筋力が弱く、皮下脂肪が少ない被測定者は、電子体温計を腋下に挟んで保持することが困難となるので、体温の測定を安定して行うことができない場合が生じる虞がある。
【００３９】
これに対し、本実施の形態の電子体温計１は、この電子体温計１を構成する各部材のうち、重量が大きい表示部４０と電池６０とを、測温部２０（温度センサ２２）と振動モーター５０との間の長手方向位置において、長手方向に垂直な方向に重ねて配置するようにしている。これにより、上記構成を有する電子体温計１の重心を、従来の電子体温計よりも測温部２０の側に位置させることができる。したがって、電子体温計１の挟持部１２を腋下に挟んで保持した状態において、電子体温計１の重量によって発生する測温部２０を中心としたモーメントを低減させることができる。よって、この電子体温計１を、従来の電子体温計よりも容易に腋下に保持することができ、これにより、安定した体温の測定が可能なものとすることができる。
【００４０】
また、本実施の形態の電子体温計１では、表示部４０及び電池６０を、本体部１１の長手方向の中心位置よりも挟持部１２の側に偏った位置に配置するようにしている。これにより、上記構成を有する電子体温計１の重心を、より測温部２０の側に位置させることができる。よって、上記効果をさらに高めることができる。
【００４１】
さらに、本実施の形態の電子体温計１では、表示部４０及び電池６０に加えて制御基板３０をも長手方向に垂直な方向に重ねて配置するようにしている。これにより、上記構成を有する電子体温計１の重心を、より測温部２０の側に位置させて、上記効果をさらに高めることができる。
【００４２】
さらに、本実施の形態の電子体温計１では、表示部４０と電池６０とを長手方向に垂直な方向に重ねて配置するようにしているので、電子体温計１の長手方向の長さＬを短くして電子体温計１をより小型化することができる。また、電子体温計１の長手方向の長さＬを短くすることができるので、電子体温計１の挟持部１２を腋下に挟んで保持した状態において電子体温計１の重量によって発生する測温部２０を中心としたモーメントをさらに効果的に低減させることができ、上記効果をさらに高めることができる。
【００４３】
さらに、本実施の形態の電子体温計１では、表示部４０、電池６０及び制御基板３０を長手方向に垂直な方向に重ねて配置するようにしているので、本体部１１を小型化しつつ幅Ｗよりも厚みＤが薄い扁平な形状に形成することができる。これにより、表示部４０として、より表示面積の広い大型のものを採用することを可能として、表示部４０に表示される体温等の情報の視認性を高めることができる。
【００４４】
電子体温計１は、その重心位置が、長手方向の中心位置よりも測温部２０の側に位置する構成とされるのが好ましいが、重心位置は長手方向の中心位置よりも振動モーター５０の側にあってもよい。電子体温計１を、その重心位置が、長手方向の中心位置よりも測温部２０の側に位置する構成とした場合には、電子体温計１の重量によって発生する測温部２０を中心としたモーメントをさらに効果的に低減させて、電子体温計１を、より容易に腋下に保持することができるとともに安定した体温の測定が可能なものとすることができる。
【００４５】
本実施の形態の電子体温計１では、振動発生部として振動モーター５０を用いるようにしたので、小型で大きな振動を発生させて、体温の測定が完了したことを、より確実に被測定者に報知することができる。また、振動モーター５０は消費電力が大きいために、電池６０としてより容量の大きい大型で重いものが必要となるが、このような場合であっても、上記の通りに、電子体温計１の重量によって発生する測温部２０を中心としたモーメントを低減させて、電子体温計１を容易に腋下に保持することができ、これにより安定した体温の測定が可能なものとすることができる。
【００４６】
また、本実施の形態の電子体温計１では、振動モーター５０を、電子体温計１の、被測定者の腋下に挟み込まれて把持される部分（測温部２０が設けられた部分）から長手方向に最も離れた位置に配置するようにしている。これにより、振動モーター５０が発生した振動を、ケース体１０を介して被測定者に効果的に伝達させることができる。よって、体温の測定が完了したことを、振動モーター５０が発生する振動によって、より確実に被測定者に報知することができる。
【００４７】
本発明は前記実施の形態に限定されるものではなく、その要旨を逸脱しない範囲で種々変更可能であることはいうまでもない。
【００４８】
例えば、前記実施の形態においては、電子体温計１はケース体１０を備えた構成とされているが、例えばケース体１０に替えてフレーム等を用いた構成とするなど、ケース体１０を備えない構成であってもよい。
【００４９】
また、前記実施の形態においては、表示部４０として液晶パネルを用いているが、これに限らず、体温等の情報を表示することができるものであれば、他の形式のパネル等を用いることもできる。
【００５０】
さらに、前記実施の形態においては、振動発生部として振動モーター５０を用いているが、これに限らず、振動を発生することができるものであれば、他の構成ないし形式のものを用いることもできる。
【符号の説明】
【００５１】
１    電子体温計
１０    ケース体
１１    本体部
１１ａ  表側ケース半体
１１ｂ  裏側ケース半体
１１ｃ  窓部
１２    挟持部
１３    透明板
１４    電池収納部
１５    蓋体
２０    測温部
２１    センサキャップ
２２    温度センサ
２３    配線
３０    制御基板（算出部）
３１    基板
３２    電子部品
３３    正極端子
３４    負極端子
３５    導電ゴム
４０    表示部
４１    支持体
５０    振動モーター（振動発生部）
５１    モーター本体
５１ａ  回転軸
５２    偏心重り
５３    モータホルダ
５４    ブザー
６０    電池
６１    正極
６２    負極
７０    操作スイッチ
Ｗ    幅
Ｄ    厚み
Ｌ    長さ
Ｓ    収納空間
【図１】
2020159764.tif 000003
【図２】
2020159764.tif 000004
【図３】
2020159764.tif 000005
【図４】
2020159764.tif 000006
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
温度を検出する温度センサと、前記温度センサからの検出信号に基づいて体温を算出する算出部と、前記算出部により算出された体温を表示する表示部と、振動を発生する振動発生部と、前記算出部、前記表示部及び前記振動発生部に電力を供給する電池と、を有し、体温の測定が完了したことを前記振動発生部が発生する振動によって報知する電子体温計であって、
前記電子体温計が幅及び厚みよりも長い長手方向の長さを有する形状であり、
前記温度センサが前記電子体温計の長手方向の一端側に配置され、
前記振動発生部が前記電子体温計の前記長手方向の他端側に配置され、
前記表示部と前記電池とが、前記温度センサと前記振動発生部との間の長手方向位置において前記長手方向に垂直な方向に重ねて配置されるとともに、
前記算出部が、前記表示部と前記電池との間に配置された制御基板であり、
前記制御基板及び前記電池が、それぞれ長手方向の一端を前記表示部よりも前記温度センサの側に突出させて配置されていることを特徴とする電子体温計。
【請求項２】
前記制御基板が、前記温度センサと前記振動発生部との間の長手方向位置において、前記長手方向に平行であるとともに前記振動発生部に対して前記長手方向に垂直な方向に重ならずに配置されている、請求項１に記載の電子体温計。
【請求項３】
前記振動発生部が振動モーターである、請求項１または２に記載の電子体温計。
【手続補正２】
【補正対象書類名】明細書
【補正対象項目名】０００８
【補正方法】変更
【補正の内容】
【０００８】
本発明の電子体温計は、温度を検出する温度センサと、前記温度センサからの検出信号に基づいて体温を算出する算出部と、前記算出部により算出された体温を表示する表示部と、振動を発生する振動発生部と、前記算出部、前記表示部及び前記振動発生部に電力を供給する電池と、を有し、体温の測定が完了したことを前記振動発生部が発生する振動によって報知する電子体温計であって、前記電子体温計が幅及び厚みよりも長い長手方向の長さを有する形状であり、前記温度センサが前記電子体温計の長手方向の一端側に配置され、前記振動発生部が前記電子体温計の前記長手方向の他端側に配置され、前記表示部と前記電池とが、前記温度センサと前記振動発生部との間の長手方向位置において前記長手方向に垂直な方向に重ねて配置されるとともに、前記算出部が、前記表示部と前記電池との間に配置された制御基板であり、前記制御基板及び前記電池が、それぞれ長手方向の一端を前記表示部よりも前記温度センサの側に突出させて配置されていることを特徴とする。
【手続補正３】
【補正対象書類名】明細書
【補正対象項目名】０００９
【補正方法】変更
【補正の内容】
【０００９】
本発明の電子体温計は、上記構成において、前記制御基板が、前記温度センサと前記振動発生部との間の長手方向位置において、前記長手方向に平行であるとともに前記振動発生部に対して前記長手方向に垂直な方向に重ならずに配置されているのが好ましい。